(57)【特許請求の範囲】
【請求項１】
蓄光性発光粒子が透光性を有する充填材によって保持されている第１の発光部材と、
有機エレクトロルミネッセンス発光層を有する第２の発光部材と、
当該有機エレクトロルミネッセンス発光層に電圧を印加して発光させる電源と、を有し、
前記第２の発光部材の前記有機エレクトロルミネッセンス発光層が前記第１の発光部材の下に位置し、
前記電源は、光を受光して光電変換する太陽電池と、当該太陽電池の光電変換により生じる起電力を蓄える蓄電体と、を有し、
前記蓄電体が前記有機エレクトロルミネッセンス発光層に電圧を印加して発光させる表示器具であって、
前記表示器具に当たる外界の光の明るさを検出する検出器と、
前記第１の発光部材が蓄えるエネルギー量と前記第１の発光部材が予め設定した明るさ以上の光を連続して発光できる時間との間に成立する相関関係を記憶している記憶部と、
前記電源から前記有機エレクトロルミネッセンス発光層に印加される電圧を制御する制御部と、を有し、
前記制御部が、前記検出器が検出する外界の光の明るさに基づいて、予め設定した時間内に前記第１の発光部材が蓄えるエネルギー量の積算値を算出し、この算出した積算値と前記相関関係とに基づいて、前記第１の発光部材が予め設定した明るさ以上の光を連続して発光できる時間を電圧印加開始時間として導出し、
（前記検出器が検出する外界の光の明るさ）＜（予め設定した外界の光の明るさ）、又は、（前記検出器が検出する外界の光の明るさ）≦（予め設定した外界の光の明るさ）である第３の条件が成立し、かつ、当該第３の条件が成立した時点の前記積算値に基づいて導出された前記電圧印加開始時間が、当該第３の条件が成立した時点から経過すると、前記制御部が、前記電源から前記有機エレクトロルミネッセンス発光層への電圧の印加を開始することを特徴とする表示器具。
【発明の詳細な説明】
【技術分野】
【０００１】
本発明は、看者が物を視認することが困難な外界の光の明るさしかない状況下においても、長時間にわたり視覚を通じて看者にメッセージをはっきりと伝達可能な表示器具に関する。
【背景技術】
【０００２】
我々の周囲には様々なメッセージを伝達するための表示機器が存在している。例えば、日光が当たらない地下室や建物の内部には、非常事態に備えて非常口の場所等を示す表示機器が設置されている。非常事態に備えて設置される表示機器は光源を内蔵しており、この光源から出る光が表示機器のメッセージを明るく照らし出している。明るく照らし出されたメッセージを見ることにより、看者は必要なときに必要な情報を得る。
【０００３】
表示機器の光源に電力を供給できない場合に備えて、蛍光物質によってメッセージをわかりやすく表示した表示機器が提唱されている（特許文献１を参照）。かかる表示機器においては、平常時に蛍光物質に外界の光が当たり、蛍光物質はその当たった光をエネルギーとして蓄える。表示機器を外界の光だけで視認することが困難な場合が生じても、蛍光物質が自ら発光し、表示機器のメッセージが看者に視覚を通じて伝達され、看者は適切な行動をとることができる。
【先行技術文献】
【特許文献】
【０００４】
【特許文献１】実開平０６−０１０９７９号公報
【発明の概要】
【発明が解決しようとする課題】
【０００５】
しかし、蛍光物質が蓄えるエネルギー量には限界がある。したがって、表示機器を外界の光だけで視認することが困難な状況下において、表示機器の蛍光物質が自ら発光し続ける時間は限られる。表示機器の蛍光物質に外界の光が当たらなくなると、蛍光物質は蓄えたエネルギーを放出するだけである。そして、蛍光物質が蓄えたエネルギーを放出し終えた後は、看者は表示機器のメッセージを視認することができない。
本発明は、上記問題を解決するものであり、その目的とするところは、表示機器のメッセージを外界の光の明るさだけで視認することが困難な状況下において、看者が表示機器のメッセージを長期間にわたって視認可能な状態を維持可能な表示機器を提供することである。
【課題を解決するための手段】
【０００６】
本発明は、その課題を解決するために以下のような構成をとる。請求項１の発明に係る表示機器は、蓄光性発光粒子が透光性を有する充填材によって保持されている第１の発光部材と、有機エレクトロルミネッセンス発光層を有する第２の発光部材と、当該有機エレクトロルミネッセンス発光層に電圧を印加して発光させる電源と、を有し、前記第２の発光部材の前記有機エレクトロルミネッセンス発光層が前記第１の発光部材の下に位置し、前記電源は、光を受光して光電変換する太陽電池と、当該太陽電池の光電変換により生じる起電力を蓄える蓄電体と、を有し、前記蓄電体が前記有機エレクトロルミネッセンス発光層に電圧を印加して発光させる表示器具であって、前記表示器具に当たる外界の光の明るさを検出する検出器と、前記第１の発光部材が蓄えるエネルギー量と前記第１の発光部材が予め設定した明るさ以上の光を連続して発光できる時間との間に成立する相関関係を記憶している記憶部と、前記電源から前記有機エレクトロルミネッセンス発光層に印加される電圧を制御する制御部と、を有し、前記制御部が、前記検出器が検出する外界の光の明るさに基づいて、予め設定した時間内に前記第１の発光部材が蓄えるエネルギー量の積算値を算出し、この算出した積算値と前記相関関係とに基づいて、前記第１の発光部材が予め設定した明るさ以上の光を連続して発光できる時間を電圧印加開始時間として導出し、（前記検出器が検出する外界の光の明るさ）＜（予め設定した外界の光の明るさ）、又は、（前記検出器が検出する外界の光の明るさ）≦（予め設定した外界の光の明るさ）である第３の条件が成立し、かつ、当該第３の条件が成立した時点の前記積算値に基づいて導出された前記電圧印加開始時間が、当該第３の条件が成立した時点から経過すると、前記制御部が、前記電源から前記有機エレクトロルミネッセンス発光層への電圧の印加を開始する。
【０００７】
蓄光性発光粒子は、蓄光して発光する性質を備える粒子であれば良く、その種類を問わない。蓄光性発光粒子として、例えば、酸化アルミニウムを母体として他の酸化物と希土類元素等を焼成してできたペレットを粉砕して得られる粒子を挙げることができる。
第１の発光部材において、蓄光性発光粒子を保持する充填材は、透光性を有していれば良く、透明であっても良いし、半透明であっても良いし、不透明であっても良い。充填材は、無色であるか有色であるかを問わないが、透光性の高いものであることが好ましい。充填材を形成する素材として、例えば、樹脂素材やガラス素材を挙げることができる。また、陶磁器の釉薬を充填材として用いることも可能である。
【０００８】
有機エレクトロルミネッセンス発光層を形成する素材は、例えば、低分子材料であっても良いし、高分子材料であっても良い。なお、以下の説明において「有機エレクトロルミネッセンス発光層」のことを「有機ＥＬ発光層」という。
電源は、例えば、外部の商用電源であっても良いし、電池等の外部から独立した電源であっても良いし、これらを併用するものであっても良い。例えば、外部の商用電源と外部から独立した電源とを併用する場合、平常時は外部の商用電源を使用し、外部の商用電源からの電力供給が停止する等の非常時に、外部から独立した電源を使用することができる。
【０００９】
第１の発光部材の上側に透光性を有する透光板を配置可能である。透光板によって第１の発光部材に傷がつくことを防止できる。透光板は透明であっても良いし、半透明であっても良い。また、透光板は透光性を有してさえいれば、無色であるか有色であるかを問わない。透光板は耐衝撃性や強度を有する素材であることが好ましい。透光板を形成する素材として、例えば、樹脂素材やガラス素材を挙げることができる。
第１の発光部材は、例えば、メッセージをなす図形や文字の輪郭を有していれば良い。メッセージの図形や文字が第１の発光部材に印刷等されていても良い。また、透光板を第１の発光部材の上側に配置する場合、メッセージの図形や文字をこの透光板に印刷等しても良い。
【００１０】
有機ＥＬ発光層が電圧を印加されて発光すると、その光が第２の発光部材の上にある第１の発光部材に当たる。第１の発光部材の中の蓄光性発光粒子は、その当たった光を吸収し、エネルギーを蓄える。蓄光性発光粒子を保持する充填材は透光性を有しているので、第２の発光部材が発光する光は、充填材の中を通過して蓄光性発光粒子の全体に満遍なく当たる。  表示機器に外界の光が当たる場合、蓄電体が、外界の光によって太陽電池から生じる電力を蓄える。また、第１の発光部材の中の蓄光性発光粒子が、外界の光に当たってエネルギーを蓄える。そして、この場合、看者は、外界の光によって表示機器のメッセージを視認できる。
【００１１】
表示機器に外界の光が当たらない場合や表示機器に当たる外界の光の明るさが弱い場合、第２の発光部材の有機ＥＬ発光層が発光していれば、第２の発光部材が第１の発光部材のバックライトとして機能し、看者は表示機器のメッセージを視認できる。そして、第２の発光部材の有機ＥＬ発光層が発光していない場合においても、第１の発光部材の中の蓄光性発光粒子が、蓄えていたエネルギーを放出して発光することによって、看者は表示機器のメッセージを視認できる。  外界の光がなくなったり外界の光の明るさが弱くなった場合、第１の発光部材の中の蓄光性発光粒子は、既にエネルギーを蓄えているので発光する。また、蓄電体から第２の発光部材の有機ＥＬ発光層に電圧が印加されて、第２の発光部材が発光する。そして、蓄電体から有機ＥＬ発光層への電圧の印加が停止した後も、第１の発光部材の中の蓄光性発光粒子は第２の発光部材が発光した光に当たってエネルギーを既に蓄えているので、第１の発光部材は蓄えたエネルギーを放出して発光し続ける。したがって、看者は表示機器のメッセージを引き続き視認できる。  第１の発光部材と第２の発光部材とは、それぞれを重ね合わせるだけで良く、電源も任意の位置に設置でき、表示機器の薄型化が容易である。また、第１の発光部材及び第２の発光部材の寿命は、蛍光灯やＬＥＤ等の寿命よりもはるかに長いので、表示機器のメンテナンスの簡素化が可能である。
【００１２】
「第１の発光部材における予め設定した明るさ」とは、例えば、外界の光がない状況下で、第１の発光部材が発光する光のみによって、看者が表示機器のメッセージを視認できる少なくとも最低限の明るさである。あるいは、外界の光がない状況下で、第１の発光部材が発光する光のみによって、看者が表示機器のメッセージを視認することに困難を感じない少なくとも最低限の明るさである。
「予め設定した外界の光の明るさ」とは、例えば、第１の発光部材及び第２の発光部材が発光していない状況下で、看者が表示機器のメッセージを視認できる少なくとも最低限の明るさである。あるいは、第１の発光部材及び第２の発光部材が発光していない状況下で、看者が表示機器のメッセージを視認することに困難を感じない少なくとも最低限の明るさである。
「予め設定した時間」は、表示機器を設置する場所の条件に応じて設定できる。屋外に表示機器を設置する場合、例えば、冬至における日の出から日の入りまでの間の時間を予め設定した時間とすることができる。また、日光が当たらない部屋や地下室等に表示機器を設置する場合、その場所において、１日のうち照明が通常灯っている間の時間を予め設定した時間とすることができる。
第３の条件が成立しない場合、第１の発光部材及び第２の発光部材が発光しない状況下においても、看者は表示機器のメッセージを視認できる。また、第３の条件が成立しない場合であっても、第１の発光部材が発光する光の明るさが、少なくとも第１の発光部材における予め設定した明るさであれば、看者は表示機器のメッセージを視認できる。
第３の条件が成立した時点から電圧印加開始時間が経過するまでの間は、第１の発光部材が発光する光の明るさが、少なくとも第１の発光部材における予め設定した明るさである。この間、看者が表示機器のメッセージを視認するという観点から考えれば、第２の発光部材の発光は不要である。
第３の条件が成立した時点から電圧印加開始時間が経過する時点において、外界の光がない状況下では、第１の発光部材が発光する光の明るさのみによって、看者は、表示機器のメッセージを視認できない状態であるか、メッセージを視認できなくなる少し前の状態である。あるいは、看者は、メッセージを視認することに困難を感じる状態であるか、メッセージを視認することに困難を感じるようになる少し前の状態である。
第３の条件が成立した時点から電圧印加開始時間が経過すると、制御部が、電源から第２の発光部材の有機ＥＬ発光層へ電圧を印加し、第２の発光部材が発光する。第２の発光部材がバックライトして機能し、看者は表示機器のメッセージを視認できる。また、第１の発光部材の中の蓄光性発光粒子が、第２の発光部材が発光する光を吸収し、エネルギーを蓄える。有機ＥＬ発光層への電圧の印加が終わった後も第１の発光部材は蓄えたエネルギーを放出して発光し続ける。
第３の条件が成立する時点を基準として電圧印加開始時間が定まり、第２の発光部材が発光するので、電源の電力の浪費が防止される。この結果、看者が表示機器のメッセージを視認可能な状態が、長期間にわたって維持される。
制御部が、第１の発光部材が予め設定した明るさ以上の光を連続して発光できる時間を導出するが、この導出した時間に安全率を乗じた時間を電圧印加開始時間としてもよい。
第１の発光部材が蓄えるエネルギー量は、例えば、第１の発光部材に当たる光の量の和によって表すことが可能である。
【００１３】
表示機器は、上面を鏡面により形成した基材が、前記第２の発光部材の下に位置している構成を有していても良い。
第２の発光部材が発光する光の一部が第２の発光部材の下側の基材に当たる場合、基材に当たった光は、基材の鏡面で反射して第１の発光部材の蓄光性発光粒子に当たる。したがって、蓄光性発光粒子は第２の発光部材が発光する光のエネルギーを効率よく吸収できる。
【００１５】
表示機器は、蓄光性発光粒子が透光性を有する充填材によって保持されている第１の発光部材と、有機エレクトロルミネッセンス発光層を有する第２の発光部材と、当該有機エレクトロルミネッセンス発光層に電圧を印加して発光させる電源と、を有し、前記第２の発光部材の前記有機エレクトロルミネッセンス発光層が前記第１の発光部材の下に位置する表示器具であって、前記第１の発光部材が発光する光の明るさを検出する検出器と、前記電源から前記有機エレクトロルミネッセンス発光層に印加される電圧を制御する制御部と、を有し、（前記検出器が検出する第１の発光部材が発光する光の明るさ）＞（予め設定した第１の発光部材が発光する光の明るさ）、又は、（前記検出器が検出する第１の発光部材が発光する光の明るさ）≧（予め設定した第１の発光部材が発光する光の明るさ）である第１の条件が成立している場合に、前記制御部が、前記電源から前記有機エレクトロルミネッセンス発光層への電圧の印加を停止し、前記第１の条件が成立していない場合に、前記制御部が、前記電源から前記有機エレクトロルミネッセンス発光層への電圧の印加を行う構成を有していても良い。さらに、この表示機器において、前記電源は、光を受光して光電変換する太陽電池と、当該太陽電池の光電変換により生じる起電力を蓄える蓄電体と、を有し、前記蓄電体が前記有機エレクトロルミネッセンス発光層に電圧を印加して発光させる構成を有していても良い。
【００１６】
「予め設定した第１の発光部材が発光する光の明るさ」とは、例えば、外界の光がない状況下において、第１の発光部材が発光する光のみによって、看者が表示機器のメッセージを視認できる少なくとも最低限の明るさである。
第１の条件が成立する場合、外界の光がなく、且つ、第２の発光部材が発光していない状況下において、看者は表示機器のメッセージを視認できる。
【００１７】
第１の条件が成立しない場合、外界の光がなく、且つ、第２の発光部材が発光していない状況下において、看者は、表示機器のメッセージを視認できない状態である。あるいは、看者は、メッセージを視認することが困難な状態である。あるいは、看者は、メッセージを視認することが困難になる少し前の状態である。かかる場合、制御部が、電源から第２の発光部材の有機ＥＬ発光層へ電圧を印加し、第２の発光部材が発光する。第２の発光部材がバックライトして機能し、看者は表示機器のメッセージを視認できる。この間、第１の発光部材の中の蓄光性発光粒子が、第２の発光部材が発光する光を吸収し、エネルギーを蓄える。有機ＥＬ発光層への電圧の印加が終わった後も、第１の発光部材は蓄えたエネルギーを放出して発光し続ける。
【００１８】
看者が表示機器のメッセージを視認するという観点から考えれば、第１の条件が成立している間は、第２の発光部材の発光は不要である。第１の条件が成立するか否かに基づいて第２の発光部材が発光するので、電源の電力の浪費が防止される。この結果、看者が表示機器のメッセージを視認可能な状態が、長期間にわたって維持される。
【００１９】
表示機器は、蓄光性発光粒子が透光性を有する充填材によって保持されている第１の発光部材と、有機エレクトロルミネッセンス発光層を有する第２の発光部材と、当該有機エレクトロルミネッセンス発光層に電圧を印加して発光させる電源と、を有し、前記第２の発光部材の前記有機エレクトロルミネッセンス発光層が前記第１の発光部材の下に位置する表示器具であって、前記表示器具に当たる外界の光の明るさを検出する検出器と、前記電源により前記有機エレクトロルミネッセンス発光層に印加される電圧を制御する制御部と、を有し、（前記検出器が検出する外界の光の明るさ）＞（予め設定した外界の光の明るさ）、又は、（前記検出器が検出する外界の光の明るさ）≧（予め設定した外界の光の明るさ）である第２の条件が成立している場合に、前記制御部が、前記電源から前記有機エレクトロルミネッセンス発光層への電圧の印加を停止し、前記第２の条件が成立していない場合に、前記制御部が、前記電源から前記有機エレクトロルミネッセンス発光層への電圧の印加を行う構成を有していても良い。さらに、この表示機器において、前記電源は、光を受光して光電変換する太陽電池と、当該太陽電池の光電変換により生じる起電力を蓄える蓄電体と、を有し、前記蓄電体が前記有機エレクトロルミネッセンス発光層に電圧を印加して発光させる構成を有していても良い。
【００２０】
「予め設定した外界の光の明るさ」とは、例えば、第１の発光部材及び第２の発光部材が発光していない状況下において、看者が表示機器のメッセージを視認できる少なくとも最低限の明るさである。あるいは、第１の発光部材及び第２の発光部材が発光していない状況下において、看者が表示機器のメッセージを視認することに困難を感じない少なくとも最低限の明るさである。
【００２１】
第２の条件が成立する場合、第１の発光部材又は第２の発光部材が発光しない状況下において、看者は表示機器のメッセージを視認できる。
第２の条件が成立しない場合、第１の発光部材及び第２の発光部材が発光していない状況下において、看者は、表示機器のメッセージを視認できない状態である。あるいは、看者は、メッセージを視認することが困難な状態である。あるいは、看者は、メッセージを視認することが困難になる少し前の状態である。かかる場合、制御部が、電源から第２の発光部材の有機ＥＬ発光層へ電圧を印加し、第２の発光部材が発光する。第２の発光部材がバックライトして機能し、看者は表示機器のメッセージを視認できる。この間、第１の発光部材の中の蓄光性発光粒子が、第２の発光部材が発光する光を吸収し、エネルギーを蓄える。有機ＥＬ発光層への電圧の印加が終わった後も、第１の発光部材は蓄えたエネルギーを放出して発光し続ける。
【００２２】
看者が表示機器のメッセージを視認するという観点から考えれば、第２の条件が成立している間は、第２の発光部材の発光が不要である。第２の条件が成立するか否かに基づいて第２の発光部材が発光するので、電源の電力の浪費が防止される。この結果、看者が表示機器のメッセージを視認可能な状態が、長期間にわたって維持される。
【発明の効果】
【００３１】
上記のような表示機器であるので、表示機器のメッセージを外界の光の明るさだけで視認することが困難な状況下において、看者が表示機器のメッセージを長期間にわたって視認可能な状態を維持可能な表示機器を提供できる。
【図面の簡単な説明】
【００３２】
【図１】（ｉ）は表示機器の上面図であり、（ｉｉ）は（ｉ）のＩ―Ｉ線断面図である。
【図２】表示機器の配線図である。
【図３】表示機器における信号の送受信を説明するブロック図である。
【図４】（ｉ）は変形例１に係る表示機器の上面図であり、（ｉｉ）は（ｉ）のＩＩ―ＩＩ線断面図である。る。
【図５】変形例１に係る表示機器における信号の送受信を説明するブロック図である。
【図６】変形例２に係る表示機器の断面図である。
【図７】変形例２に係る表示機器における信号の送受信を説明するブロック図である。
【発明を実施するための形態】
【００３３】
本発明に係る表示機器１Ａを図１〜３を参照しつつ説明する。
図１及び図２に示すように、表示機器１Ａは、透光板１０、第１の発光部材１４、第２の発光部材１５、電源２０、基材２７、検出器３２Ａ、制御部３６及びスイッチ４３と、これらを収納するケース４７と、を有する。
ケース４７は上方が開放した扁平な立方体をなす。
ケース４７の内側には、太陽電池２１Ａ、２１Ｂが収納されている。太陽電池２１Ａ、２１Ｂは、ケース４７の左右の内壁に沿ってそれぞれ設置されている。太陽電池２１Ａ、２１Ｂの受光面２２が、ケース４７の上方において外界に露出しており、ケース４７の上方から射す外界の光が受光面２２に当たる構成となっている。また、太陽電池２１Ａ、２１Ｂは受光面２２に当たる外界の光を電力に変換可能に構成されている。
【００３４】
太陽電池２１Ａの受光面２２の上には検出器３２Ａが設置されている。検出器３２Ａは、表示機器１Ａに上方から当たる外界の光の明るさＢ１を検出可能に構成されている。
ケース４７内の底面上には蓄電体２３と制御部３６とスイッチ４３が配置されている。蓄電体２３は太陽電池２１Ａ、２１Ｂに接続されている。蓄電体２３は、太陽電池２１Ａ、２１Ｂで発生する電力を蓄電可能に構成されている。
太陽電池２１Ａ、２１Ｂと蓄電体２３とが電源２０を形成している。
【００３５】
図１（ｉｉ）及び図３に示すように、制御部３６は記憶部３７Ａと演算部３８Ａとを有する。記憶部３７Ａは、予め定められた外界の光の明るさＢ２を記憶している。明るさＢ２とは、第１の発光部材１４及び第２の発光部材１５が発光しないときでも、看者がメッセージ５２をはっきりと視認可能な外界の光の明るさである。
演算部３８Ａは検出器３２Ａが検出した明るさＢ１を検出器３２Ａから受信可能に構成されている。また、演算部３８Ａは、プログラムＰ１を内蔵しており、プログラムＰ１による演算結果に基づきスイッチ４３に開閉信号ＳON、ＳOFFを送信可能に構成されている。開閉信号ＳONはスイッチ４３を開く信号であり、開閉信号ＳOFFはスイッチ４３を閉じる信号である。
【００３６】
蓄電体２３及び制御部３６の上側には、板状の基材２７が配置されている。基材２７の上面は鏡面２８となっている。
基材２７の鏡面２８の上側には、第２の発光部材１５が配置されている。第２の発光部材１５は有機ＥＬ発光層１６を有している。有機ＥＬ発光層１６はスイッチ４３を介して蓄電体２３に接続されており、蓄電体２３から印加される電圧によって発光可能に構成されている（図２を参照）。スイッチ４３は演算部３８Ａから受信する開閉信号ＳON、ＳOFFによって開閉可能に構成されている。
【００３７】
有機ＥＬ発光層１６の上側には、第１の発光部材１４が配置されている。第１の発光部材１４において、蓄光性発光粒子が透光性を有する充填材によって保持されている。この蓄光性発光粒子は第１の発光部材１４の上面、下面及び側面に露出している。第１の発光部材１４の上面には、メッセージ５２が印刷されている。
第１の発光部材１４の上側には無色透明な透光板１０が配置されており、透光板１０の上からメッセージ５２が見えている。
【００３８】
表示機器１Ａを上方から見ると、第１の発光部材１４は、第２の発光部材１５よりも大きく、透光板１０と第１の発光部材１４と基材２７の鏡面２８は同じ大きさを有する。透光板１０及び第１の発光部材１４を取り外して表示機器１Ａを上方から見ると、第２の発光部材１５の周囲に基材２７の鏡面２８が見える。
表示機器１Ａの外部に露出している部品は、ケース４７と太陽電池２１Ａ、２１Ｂの受光面２２と検出器３２Ａと透光板１０だけであり、これらの接合部はシールされて、表示機器１Ａの内部への湿気や水分の進入が防止されており、表示機器１Ａは防爆構造を有している。
【００３９】
次に、演算部３８ＡがプログラムＰ１に従って行う演算処理の内容を説明する（図３を参照）。
先ず、演算部３８Ａは、受信した明るさＢ１と記憶部３７Ａが記憶している明るさＢ２とを比較し、次の（１）式が成立するか否かを判断する。なお、この（１）式が第１の条件を表す式である。
Ｂ１≧Ｂ２      ・・・（１）
（１）式が成立するとき、演算部３８Ａはスイッチ４３に開閉信号ＳOFFを送信する。（１）式が成立しないとき、演算部３８Ａはスイッチ４３に開閉信号ＳONを送信する。
表示機器１Ａは上述した構成を有している。次に、日光が射し込まない地下室に表示機器１Ａが設置されている場合を例にとって、表示機器１Ａの作用と効果を説明する。
【００４０】
地下室の照明が灯っているときは、照明の光が表示機器１Ａに当たる。この照明の光が表示機器１Ａの外界の光をなす。表示機器１Ａに当たる照明の光の明るさが明るさＢ２以上であれば、第１の発光部材１４あるいは第２の発光部材１５が発光していなくても、看者は照明の光の明るさだけで表示機器１Ａのメッセージ５２を視認できる。
照明の光が太陽電池２１Ａ、２１Ｂの受光面２２に当たり、太陽電池２１Ａ、２１Ｂはその光を光電変換し、電力が発生する。この発生した電力は蓄電体２３に蓄えられる。
【００４１】
照明の光は透光板１０を通過して第１の発光部材１４にも当たる。第１の発光部材１４の蓄光性発光粒子は、当たった光をエネルギーとして蓄え、自ら発光する。照明の光が表示機器１Ａに当たらなくなっても、第１の発光部材１４は蓄えたエネルギーを放出して自ら発光するので、看者は第１の発光部材１４が発光する光の明るさによってメッセージ５２を視認できる。
【００４２】
検出器３２Ａは表示機器１Ａの外界の明るさＢ１として照明の光の明るさを検出する。
明るさＢ１は検出器３２Ａから制御部３６の演算部３８Ａに送信される。演算部３８Ａが、プログラムＰ１によって、明るさＢ１と明るさＢ２とを比較する。この比較において（１）式が成立する場合、演算部３８Ａがスイッチ４３に開閉信号ＳOFFを送信し、スイッチ４３が開いた状態になる。スイッチ４３が開いた状態では、蓄電体２３から有機ＥＬ発光層１６へ電圧の印加がなされず、有機ＥＬ発光層１６（すなわち、第２の発光部材１５）は発光せず、第２の発光部材１５による蓄電体２３の電力の消費はない。（１）式が成立すれば、第２の発光部材１５が発光していなくても、照明の光の明るさだけで、看者はメッセージ５２をはっきりと視認できる。
【００４３】
演算部３８ＡのプログラムＰ１による比較において、（１）式が成立しない場合、演算部３８Ａがスイッチ４３に開閉信号ＳONを送信し、スイッチ４３が閉じた状態になる。スイッチ４３が閉じた状態では、蓄電体２３から有機ＥＬ発光層１６へ電圧の印加がなされ、第２の発光部材１５が発光する。第２の発光部材１５が発光すると、その光が第１の発光部材１４を下側から照らす。第２の発光部材１５が第１の発光部材１４のバックライトとなるので、照明の光の明るさが弱まったり照明が消えたりしても、看者はメッセージ５２をはっきりと視認できる。
【００４４】
第２の発光部材１５が第１の発光部材１４を下側から照らすと、第２の発光部材１５が発光する光は、第１の発光部材１４の蓄光性発光粒子を保持する充填材の中を通過し、第１の発光部材１４の上側面に当たる。また、第２の発光部材１５から出て基材２７の鏡面２８に当たった光は、鏡面２８で反射し、第１の発光部材１４に当たる。したがって、第２の発光部材１５が発光する光は、第１の発光部材１４の蓄光性発光粒子にエネルギーとして効率よく蓄えられる。
【００４５】
外界の光の明るさが明るさＢ２を下回る状態が長く続いたとしても、蓄電体２３が放電し終るまでの間、第２の発光部材１５が発光する光によって看者はメッセージ５２をはっきりと視認できる。そして、蓄電体２３が放電し終わった後も、第１の発光部材１４の蓄光性発光粒子がエネルギーを有している間は、第１の発光部材１４が発光し続け、看者は第１の発光部材１４が発光する光の明るさによってメッセージ５２をはっきりと視認できる。
【００４６】
変形例１に係る表示機器１Ｂを図４及び図５を参照しつつ説明する。表示機器１Ｂにおいて表示機器１Ａと同じ構成を有するものには同じ符号を付し、重複する説明を省略する。
図４に示すように、表示機器１Ｂにおいては、検出器３２Ａの代わりに検出器３２Ｂが透光板１０に設置されている。検出器３２Ｂは第１の発光部材１４の上に位置している。検出器３２Ｂは第１の発光部材１４が発光する光の明るさＢ３を検出可能に構成されている。
【００４７】
制御部３６は、記憶部３７Ａと演算部３８Ａの代わりに記憶部３７Ｂと演算部３８Ｂを有する。記憶部３７Ｂには、予め定められた第１の発光部材１４が発光する光の明るさＢ４が記憶されている。明るさＢ４とは、外界の光がなく、且つ、第２の発光部材１５が発光していない状況下で、第１の発光部材１４が発光する光の明るさのみによって、看者がメッセージ５２をはっきりと視認可能な明るさである。
図５に示すように、演算部３８Ｂは、検出器３２Ｂが検出した明るさＢ３を検出器３２Ｂから受信可能に構成されている。また、演算部３８Ｂは、プログラムＰ２を内蔵しており、プログラムＰ２による演算結果に基づきスイッチ４３に開閉信号ＳON、ＳOFFを送信可能に構成されている。
【００４８】
次に、演算部３８ＢがプログラムＰ２に従って行う演算処理の内容を説明する（図５を参照）。
先ず、演算部３８Ｂは、受信した明るさＢ３と記憶部３７Ｂが記憶している明るさＢ４とを比較し、次の（２）式が成立するか否かを判断する。なお、この（２）式が第２の条件を表す式である。
Ｂ３≧Ｂ４      ・・・（２）
（２）式が成立するとき、演算部３８Ｂはスイッチ４３に開閉信号ＳOFFを送信する。（２）式が成立しないとき、演算部３８Ｂはスイッチ４３に開閉信号ＳONを送信する。
表示機器１Ｂの外部に露出している部品は、ケース４７と太陽電池２１Ａ、２１Ｂの受光面２２と検出器３２Ｂと透光板１０だけであり、これらの接合部はシールされて、表示機器１Ｂの内部への湿気や水分の進入が防止されており、表示機器１Ｂは防爆構造を有している。
【００４９】
表示機器１Ｂの他の構成は、表示機器１Ａの構成と同じである。
表示機器１Ｂは上述した構成を有している。次に、日光が射し込まない地下室に表示機器１Ｂが設置されている場合を例にとって、表示機器１Ｂの作用と効果を説明する。
地下室の照明の光の明るさが明るさＢ２以上であれば、この照明の光の明るさだけで、看者はメッセージ５２をはっきり視認できる。また、式（２）が成立している場合、第２の発光部材１５が発光しなくても、第１の発光部材１４が発光する光の明るさだけで看者はメッセージ５２をはっきり視認できる。式（２）が成立していない場合、第２の発光部材１５が発光していれば、第２の発光部材１５が第１の発光部材１４のバックライトとなり、看者はメッセージ５２をはっきり視認できる。
【００５０】
式（２）が成立する場合、プログラムＰ２の演算処理によって、演算部３８Ｂがスイッチ４３に開閉信号ＳOFFを送信し、スイッチ４３が開くので、蓄電体２３は有機ＥＬ発光層１６へ電圧を印加しない。したがって、第２の発光部材１５は発光せず、第２の発光部材１５は蓄電体２３の電力を消費しない。
式（２）が成立しなくなると、プログラムＰ２の演算処理によって、演算部３８Ｂがスイッチ４３に開閉信号ＳONを送信し、スイッチ４３が閉じ、蓄電体２３が有機ＥＬ発光層１６へ電圧を印加する。これにより、第２の発光部材１５が発光し、看者はメッセージ５２をはっきりと視認できる。また、第１の発光部材１４の蓄光性発光粒子は、第２の発光部材１５が発光する光をエネルギーとして蓄える。第２の発光部材１５が蓄電体の電力を消費し、第２の発光部材１５の発光が終わった後も、第１の発光部材１４が発光し続ける。
【００５１】
すなわち、照明の光の明るさが弱くなったり照明が消えたりすると、先ず、第１の発光部材１４が発光する光の明るさにより看者はメッセージ５２をはっきり視認できる。そして、第１の発光部材１４が発光する光の明るさが弱まると、第２の発光部材１５が発光を開始するので、看者は引き続きメッセージ５２をはっきり視認できる。この間に、第１の発光部材１４は第２の発光部材１５が発光する光をエネルギーとして蓄える。さらに、第２の発光部材１５の発光が終わった後も、第１の発光部材１４が発光するので、看者は引き続きメッセージ５２をはっきり視認できる。したがって、長い期間にわたって、看者はメッセージ５２をはっきりと視認できる。
表示機器１Ｂが奏する他の作用と効果は、表示機器１Ａが奏する他の作用と効果と同じである。
【００５２】
変形例２に係る表示機器１Ｃを図６及び図７を参照しつつ説明する。表示機器１Ｃにおいて表示機器１Ａと同じ構成を有するものには同じ符号を付し、重複する説明を省略する。
図６及び図７に示すように、制御部３６は、記憶部３７Ａと演算部３８Ａの代わりに記憶部３７Ｃと演算部３８Ｃと時計３９を有する。
記憶部３７Ｃには相関関係Ｒが記憶されている。相関関係Ｒは、第１の発光部材１４（すなわち、第１の発光部材１４の蓄光性発光粒子）が蓄えるエネルギー量と、第１の発光部材１４が明るさＢ４以上の明るさの光を連続して発光できる時間と、の間に成立する相関関係である。
【００５３】
また、記憶部３７Ｃには明るさＢ２と予め定めた時間Ｔ１とが記憶されている。屋外に表示機器１Ｃが設置されるのであれば、時間Ｔ１とは、例えば、冬至における日の出から日の入りまでの間の時間である。また、日光が射し込まない室内や地下室等に表示機器１Ｃが設置されるのであれば、時間Ｔ１とは、例えば、その室内や地下室等において１日のうち照明が通常灯っている間の時間である。
演算部３８Ｃは、検出器３２Ａが検出した明るさＢ１を検出器３２Ａから受信可能に構成されている。また、演算部３８Ｃは、プログラムＰ３を内蔵しており、プログラムＰ３による演算結果に基づきスイッチ４３に前記開閉信号ＳON、ＳOFFを送信可能に構成されている。
時計３９は時刻をリアルタイムで演算部３８Ｃに送信可能に構成されている。
【００５４】
次に、演算部３８ＣがプログラムＰ３に従って行う演算処理の内容を説明する（図７を参照）。
先ず、プログラムＰ３によって、演算部３８Ｃが、検出器３２Ａから受信した明るさＢ１と、時計３９から受信した時刻と、に基づいて、時間Ｔ１内に第１の発光部材１４が蓄えるエネルギー量の積算値Ｅを算出する。
そして、プログラムＰ３によって、演算部３８Ｃは、算出した積算値Ｅに対応する時間を記憶部３７Ｃの相関関係Ｒから導出し、この導出した時間を電圧印加開始時間Ｔ２として記憶部３７Ｃに記憶する。この電圧印加開始時間Ｔ２は、積算値Ｅに相当するエネルギー量を蓄えた第１の発光部材１４が、外部からエネルギーを供給されずに、明るさＢ４以上の明るさの光を発光し続けることが可能な時間である。
【００５５】
さらに、プログラムＰ３によって、演算部３８Ｃは、明るさＢ１と明るさＢ２とを比較し、次の（３）式が成立するか否かを判別する。なお、この（３）式が第３の条件を表す式である。
Ｂ１＜Ｂ２      ・・・（３）
（３）式が成立しない場合、演算部３８Ｃは、スイッチ４３に開閉信号ＳOFFを送信し、スイッチ４３を開く。（３）式が成立すると、演算部３８Ｃは、（３）式が成立した時刻ｔ１を起点として電圧印加開始時間Ｔ２が経過するまでの間は、スイッチ４３に開閉信号ＳOFFを送信し、スイッチ４３を開いておく。そして、演算部３８Ｃは、時刻ｔ１から電圧印加開始時間Ｔ２が経過すると、それ以降は、スイッチ４３に開閉信号ＳONを送信し、スイッチ４３を閉じる。
【００５６】
表示機器１Ｃの他の構成は、表示機器１Ａの構成と同じである。
表示機器１Ｃは上述した構成を有している。次に、日光が射し込まない地下室に表示機器１Ｃが設置されている場合を例にとって、表示機器１Ｃの作用と効果を説明する。
地下室の照明が灯っており、且つ、（３）式が成立していない場合、第１の発光部材１４あるいは第２の発光部材１５の発光の有無を問わず、看者はメッセージ５２をはっきり視認できる。
（３）式が成立した時刻ｔ１から電圧印加開始時間Ｔ２が経過するまでの間は、第２の発光部材１５は発光せず、第１の発光部材１４が明るさＢ４以上の明るさの光を発光し続ける。この間、第１の発光部材１４が発光する光の明るさによって、看者はメッセージ５２をはっきり視認できる。
【００５７】
時刻ｔ１から電圧印加開始時間Ｔ２が経過すると、第１の発光部材１４が発光する光の明るさが明るさＢ４を満たさなくなる。このとき、演算部３８Ｃがスイッチ４３に開閉信号ＳONを送信し、スイッチ４３が閉じ、第２の発光部材１５が発光を開始する。時刻ｔ１から電圧印加開始時間Ｔ２が経過した後も、光を発光する第２の発光部材１５が第１の発光部材１４のバックライトになり、看者はメッセージ５２をはっきり視認できる。この間、第１の発光部材１４は、第２の発光部材１５が発光する光をエネルギーとして再び蓄える。
【００５８】
第２の発光部材１５が蓄電体２３の電力を消費し終わり、第２の発光部材１５の発光が終わった後も、第１の発光部材１４は蓄えたエネルギーを放出して発光し続ける。
すなわち、照明の光の明るさが弱まったり照明が消えたりしても、先ず、第１の発光部材１４が発光する光の明るさにより看者はメッセージ５２をはっきり視認できる。そして、第１の発光部材１４が発光する光の明るさが弱まると、第２の発光部材１５が発光を開始し、看者はメッセージ５２を引き続きはっきり視認できる。さらに、第２の発光部材１５の発光が終わった後も、第１の発光部材１４が発光するので看者はメッセージ５２をはっきり視認できる。したがって、長い期間にわたって、看者はメッセージ５２をはっきりと視認できる。
【００５９】
表示機器１Ｃが奏する他の作用と効果は、表示機器１Ａが奏する他の作用と効果と同じである。
なお、Ｂ１≧Ｂ２の代わりにＢ１＞Ｂ２を（１）式とすることができる。また、Ｂ３≧Ｂ４の代わりにＢ３＞Ｂ４を（２）式とすることができる。さらに、Ｂ１＜Ｂ２の代わりにＢ１≦Ｂ２を（３）式とすることができる。
【産業上の利用可能性】
【００６０】
上記のような表示機器であるので、表示機器のメッセージを外界の光だけでは視認困難な状況下にあって、看者が表示機器のメッセージを長期間にわたって視認可能な状態を維持可能な表示機器として有用である。
【符号の説明】
【００６１】
１Ａ、１Ｂ、１Ｃ    表示機器
１０    透光板
１４    第１の発光部材
１５    第２の発光部材
１６    有機ＥＬ発光層
２０    電源
２１Ａ、２１Ｂ    太陽電池
２２    受光面
２３    蓄電体
２７    基材
２８    鏡面
３２Ａ、３２Ｂ    検出器
３６    制御部
３７Ａ、３７Ｂ、３７Ｃ    記憶部
３８Ａ、３８Ｂ、３８Ｃ    演算部
３９    時計
４３    スイッチ
４８    ケース
５２    メッセージ
Ｐ１、Ｐ２、Ｐ３    プログラム
Ｂ１、Ｂ２    外界の光の明るさ
Ｂ３、Ｂ４    第１の発光部材が発光する光の明るさ
ＳON、ＳOFF    スイッチの開閉信号
Ｒ    相関関係
ｔ、ｔ１    時刻
Ｔ１    時間
Ｔ２    電圧印加開始時間
Ｅ    第１の発光部材が蓄えるエネルギー量の積算値
【図１】
0005592142.tif 000002
【図２】
0005592142.tif 000003
【図３】
0005592142.tif 000004
【図４】
0005592142.tif 000005
【図５】
0005592142.tif 000006
【図６】
0005592142.tif 000007
【図７】
0005592142.tif 000008